(57)【特許請求の範囲】
【請求項１】
光の透過を制御して画像を表示する表示パネルの下方に、前記表示パネルに向けて照明光を照射する光源を配置した表示装置において、
枠形状に形成されたフレーム本体と、前記フレーム本体の上面の複数箇所に、前記フレーム本体の上方に突出させて形成された複数のボス部とからなり、前記フレーム本体により囲まれたスペースに前記光源を収容した樹脂成形品からなるフレームと、
前記フレーム本体の上面の外形に対応した形状に形成された主面部を有し、前記主面部に、前記光源からの照射光を透過させる照明用開口と、前記各ボス部にそれぞれ対応する複数のボス貫通部とが設けられ、前記フレーム本体の上面上に、前記各ボス部をそれぞれ前記各ボス貫通部から前記主面部の上方に突出させ、前記主面部を前記フレーム本体の上面に当接させて配置された金属板からなる表示パネル支持部材と、
前記表示パネルの配置側とは反対側に、前記フレーム本体内の光源収容スペースと前記フレーム本体の下面及び外側面を覆って嵌装され、前記フレーム本体の平面形状の外形よりも大きい形状に形成された平板部と、前記平板部の縁部から前記フレーム本体の外側面に被さるように屈曲した側板部とを有する金属板からなるケース部材と、
前記表示パネルの配置側に、前記表示パネルの周縁部と前記各ボス部及び前記ケース部材の外側面を覆って嵌装され、前記ケース部材の平面形状の外形よりも大きい形状に形成され、前記表示パネルの画面エリアに対応する表示用開口が設けられた主面カバー部と、前記主面カバー部の縁部から前記ケース部材の外側面に被さるように屈曲した側面カバー部とを有する金属板からなるカバー部材と、を備え、
前記表示パネル支持部材の主面部上に、前記表示パネルが、その外周縁を前記各ボス部に近接または当接させることにより、前記表示パネルの画面エリアが前記照明用開口に対向するように位置決めされて載置されていることを特徴とする表示装置。
【請求項２】
前記表示パネル支持部材は、前記主面部の縁部から前記フレーム本体の外側面に被さるように屈曲した側面部を有しており、前記側面部を前記フレーム本体の外側に嵌合して配置されていることを特徴とする請求項１に記載の表示装置。
【請求項３】
前記表示パネル支持部材は、前記主面部を前記フレーム本体の上面に貼り付けて固定されていることを特徴とする請求項１または２に記載の表示装置。
【請求項４】
前記表示パネルは、その周縁部を前記表示パネル支持部材の主面部に貼り付けて固定されていることを特徴とする請求項１乃至３の何れかに記載の表示装置。
【請求項５】
前記表示パネルは、矩形状の平面形状を有しており、前記フレーム本体は、その外周部が前記表示パネルの周囲に張り出す大きさの矩形枠形状に形成され、前記各ボス部は、前記フレーム本体の前記表示パネルの周囲に張り出す部分に設けられていることを特徴とする請求項１乃至４の何れかに記載の表示装置。
【請求項６】
前記ボス部は、前記表示パネルの２つの長辺の少なくとも一方と、２つの短辺の少なくとも一方とにそれぞれ対応させて設けられていることを特徴とする請求項５に記載の表示装置。
【請求項７】
前記ボス部は、前記表示パネルの２つの長辺と、２つの短辺の少なくとも一方とにそれぞれ対応させて設けられていることを特徴とする請求項６に記載の表示装置。
【請求項８】
前記ボス部は、前記表示パネルの前記長辺の複数個所と、前記短辺の複数個所とにそれぞれ対応させて設けられていることを特徴とする請求項６または７に記載の表示装置。
【請求項９】
前記ボス部は、前記表示パネルの４つの角部のうちの２つ以上の角部にそれぞれ対応させて設けられていることを特徴とする請求項５に記載の表示装置。
【請求項１０】
前記各ボス部は、前記表示パネルの前記角部の形状に対応した平面形状がＬ形の突起からなっていることを特徴とする請求項９に記載の表示装置。
【請求項１１】
前記光源は、光を入射させる入射端面と前記入射端面から入射した光を出射させる出射面とを有する導光板と、前記導光板の入射端面に対向させて配置された発光素子とを備えていることを特徴とする請求項１乃至１０の何れかに記載の表示装置。
【発明の詳細な説明】
【技術分野】
【０００１】
この発明は、光の透過を制御して画像を表示する表示パネルの背後に、前記表示パネルに向けて照明光を照射する光源を配置した表示装置に関する。
【背景技術】
【０００２】
従来、表示パネルと光源とを備えた表示装置は、枠状に形成されたフレーム内のスペースに、前記表示パネルと前記光源とを収容した構成となっている（特許文献１参照）。
【先行技術文献】
【特許文献】
【０００３】
【特許文献１】特開２００６−１９５２２４号公報
【発明の概要】
【発明が解決しようとする課題】
【０００４】
しかし、上記従来の表示装置は、表示パネルの支持強度が充分でないという問題をもっている。
【０００５】
この発明は、表示パネルを充分な強度で支持することができ、しかも、装置の組立てに際して前記表示パネルを所定の位置に精度良く配置することができる表示装置を提供することを目的としたものである。
【課題を解決するための手段】
【０００６】
請求項１に記載の発明は、光の透過を制御して画像を表示する表示パネルの下方に、前記表示パネルに向けて照明光を照射する光源を配置した表示装置において、
枠形状に形成されたフレーム本体と、前記フレーム本体の上面の複数箇所に、前記フレーム本体の上方に突出させて形成された複数のボス部とからなり、前記フレーム本体により囲まれたスペースに前記光源を収容した樹脂成形品からなるフレームと、
前記フレーム本体の上面の外形に対応した形状に形成された主面部を有し、前記主面部に、前記光源からの照射光を透過させる照明用開口と、前記各ボス部にそれぞれ対応する複数のボス貫通部とが設けられ、前記フレーム本体の上面上に、前記各ボス部をそれぞれ前記各ボス貫通部から前記主面部の上方に突出させ、前記主面部を前記フレーム本体の上面に当接させて配置された金属板からなる表示パネル支持部材と、
前記表示パネルの配置側とは反対側に、前記フレーム本体内の光源収容スペースと前記フレーム本体の下面及び外側面を覆って嵌装され、前記フレーム本体の平面形状の外形よりも大きい形状に形成された平板部と、前記平板部の縁部から前記フレーム本体の外側面に被さるように屈曲した側板部とを有する金属板からなるケース部材と、
前記表示パネルの配置側に、前記表示パネルの周縁部と前記各ボス部及び前記ケース部材の外側面を覆って嵌装され、前記ケース部材の平面形状の外形よりも大きい形状に形成され、前記表示パネルの画面エリアに対応する表示用開口が設けられた主面カバー部と、前記主面カバー部の縁部から前記ケース部材の外側面に被さるように屈曲した側面カバー部とを有する金属板からなるカバー部材と、を備え、
前記表示パネル支持部材の主面部上に、前記表示パネルが、その外周縁を前記各ボス部に近接または当接させることにより、前記表示パネルの画面エリアが前記照明用開口に対向するように位置決めされて載置されていることを特徴とする。
【０００８】
請求項２に記載の発明は、前記請求項１に記載の表示装置において、前記表示パネル支持部材は、前記主面部の縁部から前記フレーム本体の外側面に被さるように屈曲した側面部を有しており、前記側面部を前記フレーム本体の外側に嵌合して配置されていることを特徴とする。
【０００９】
請求項３に記載の発明は、前記請求項１または２に記載の表示装置において、前記表示パネル支持部材は、前記主面部を前記フレーム本体の上面に貼り付けて固定されていることを特徴とする。
【００１０】
請求項４に記載の発明は、前記請求項１乃至３の何れかに記載の表示装置において、前記表示パネルは、その周縁部を前記表示パネル支持部材の主面部に貼り付けて固定されていることを特徴とする。
【００１９】
請求項５に記載の発明は、前記請求項１乃至４の何れかに記載の表示装置において、前記表示パネルは、矩形状の平面形状を有しており、前記フレーム本体は、その外周部が前記表示パネルの周囲に張り出す大きさの矩形枠形状に形成され、前記各ボス部は、前記フレーム本体の前記表示パネルの周囲に張り出す部分に設けられていることを特徴とする。
【００２０】
請求項６に記載の発明は、前記請求項５に記載の表示装置において、前記ボス部は、前記表示パネルの２つの長辺の少なくとも一方と、２つの短辺の少なくとも一方とにそれぞれ対応させて設けられていることを特徴とする。
【００２１】
請求項７に記載の発明は、前記請求項６に記載の表示装置において、前記ボス部は、前記表示パネルの２つの長辺と、２つの短辺の少なくとも一方とにそれぞれ対応させて設けられていることを特徴とする。
【００２２】
請求項８に記載の発明は、前記請求項６または７に記載の表示装置において、前記ボス部は、前記表示パネルの前記長辺の複数個所と、前記短辺の複数個所とにそれぞれ対応させて設けられていることを特徴とする。
【００２３】
請求項９に記載の発明は、前記請求項５に記載の表示装置において、前記ボス部は、前記表示パネルの４つの角部のうちの２つ以上の角部にそれぞれ対応させて設けられていることを特徴とする。
【００２４】
請求項１０に記載の発明は、前記請求項９に記載の表示装置において、前記各ボス部は、前記表示パネルの前記角部の形状に対応した平面形状がＬ形の突起からなっていることを特徴とする。
【００２５】
請求項１１に記載の発明は、前記請求項１乃至１０の何れかに記載の表示装置において、前記光源は、光を入射させる入射端面と前記入射端面から入射した光を出射させる出射面とを有する導光板と、前記導光板の入射端面に対向させて配置された発光素子とを備えていることを特徴とする。
【発明の効果】
【００３０】
この発明の表示装置によれば、表示パネルを充分な強度で支持することができ、しかも、装置の組立てに際して前記表示パネルを所定の位置に精度良く配置することができる。
【図面の簡単な説明】
【００３１】
【図１】この発明の第１実施例の表示装置の平面図。
【図２】第１実施例の表示装置の分解斜視図。
【図３】第１実施例の表示装置におけるフレームの一部分の拡大平面図。
【図４】第１実施例の表示装置における表示パネル支持部材の一部分の拡大平面図。
【図５】図１のV−V矢視線に沿った拡大断面図。
【図６】図１のVI−VI矢視線に沿った拡大断面図。
【図７】この発明の第２実施例の表示装置の平面図。
【図８】この発明の第３実施例の表示装置の平面図。
【図９】この発明の第４実施例の表示装置の一部分の断面図。
【図１０】この発明の第５実施例の表示装置の平面図。
【図１１】第５実施例の表示装置の分解斜視図。
【図１２】第５実施例の表示装置におけるフレームの一部分の拡大平面図。
【図１３】図１２のXIII−XIII矢視線に沿った断面図。
【図１４】図１０のXIV−XIV矢視線に沿った拡大断面図。
【図１５】図１０のXV−XV矢視線に沿った拡大断面図。
【図１６】この発明の第６実施例の表示装置の平面図。
【発明を実施するための形態】
【００３２】
［第１実施例］
第１実施例の表示装置は、図１〜図６のように、光の透過を制御して画像を表示する表示パネル１と、この表示パネル１の下方（表示面とは反対方向）に配置され、前記表示パネル１に向けて照明光を照射する光源１１と、前記光源１１を収容するフレーム２４と、前記フレーム２４に固定された表示パネル支持部材２７とを備えている。
【００３３】
前記表示パネル１は、例えば液晶表示パネルであり、予め定めた間隙を設けて対向配置され、画面エリア１ａを囲む枠状のシール材４を介して接合された表示面側の透明基板（以下、前基板という）２及びその反対側の透明基板（以下、後基板という）３と、これらの基板２，３間の間隙の前記シール材４で囲まれた領域に封入された液晶層５と、前記一対の基板２，３の外面にそれぞれ貼り付けて配置された前側偏光板６及び後側偏光板７とからなっている。以下、この表示パネル１を液晶表示パネルという。
【００３４】
この液晶表示パネル１は、例えばＴＦＴ（薄膜トランジスタ）をアクティブ素子としたアクティブマトリックス液晶表示パネルであり、図では省略しているが、後基板３の前基板２と対向する面に、行方向及び列方向にマトリックス状に配列させて形成された複数の透明な画素電極と、これらの画素電極にそれぞれ対応させて配置され、対応する画素電極に接続された複数のＴＦＴと、各行のＴＦＴにゲート信号を供給する複数の走査線と、各列のＴＦＴにデータ信号を供給する複数の信号線と、これらを覆って形成された第１配向膜とが設けられている。また、前基板２の後基板３と対向する面には、前記各画素電極とそれぞれ対応させて形成された赤、緑、青の３色のカラーフィルタと、これらのカラーフィルタの上に前記各画素電極の配列領域に対向させて形成された一枚膜状の透明な対向電極と、前記対向電極を覆って形成された第２配向膜とが設けられている。
【００３５】
なお、前記液晶表示パネル１は、液晶分子を実質的に９０°の捩れ角でツイスト配向させたＴＮ型、液晶分子を１８０°〜２７０°の捩れ角でツイスト配向させたＳＴＮ型、液晶分子を基板面に対して実質的に垂直に配向させた垂直配向型、液晶分子を分子長軸を一方向に揃えて基板面と実質的に平行に配向させた非ツイストの水平配向型、液晶分子をベンド配向させるベンド配向型のいずれでもよく、また強誘電性または反強誘電性液晶表示素子でもよい。
【００３６】
さらに、前記液晶表示パネル１は、一対の基板２，３にそれぞれ複数の画素を形成するための電極を設けたものに限らず、後基板３に、複数の画素を形成するための第１電極と、それよりも液晶層５側または後基板３側に、前記第１電極と絶縁して形成された複数の細長電極部を有する第２電極とを設け、これらの電極間に横電界（基板面に沿う方向の電界）を生じさせて液晶分子の配向状態を変化させる横電界制御型液晶表示パネルでもよい。
【００３７】
前記液晶表示パネル１は、矩形状の平面形状を有しており、前記後基板３の長手方向の一端側の縁部に、前基板２の外方に張り出すドライバ搭載部３ａが形成されている。そして、前記ドライバ搭載部３ａには、前記各走査線に順次ゲート信号を印加し、前記各信号線にデータ信号を印加するドライバ素子８が搭載され、前記ドライバ搭載部３ａの端縁部に、前記ドライバ素子８の制御回路、光源点灯回路、及び外部回路接続用コネクタ等からなる電子部品ユニット１０が設けられた配線フィルム９が接続されている。
【００３８】
前記光源１１は、前記液晶表示パネル１の画面エリア１ａよりもある程度大きい面積を有する矩形板状の透明部材からなり、その長手方向の一端側の端面に光を入射させる入射端面１３が形成され、２つの板面の一方に前記入射端面１３から入射した光を出射させる出射面１４が形成され、他方の板面に前記入射端面１３から入射した光を前記出射面１４に向けて内面反射する反射面１５が形成された導光板１２を備えている。さらに、この光源１１は、前記導光板１２の入射端面１３に対向させて配置されたＬＥＤ（発光ダイオード）等の複数の発光素子１６と、前記導光板１２の出射面１４上に設けられ、前記導光板１２の出射面１４から出射した光を拡散させる拡散層１９と、前記拡散層１９の上に積層して配置された２枚のプリズムシート２０，２１とを備えている。以下、この光源１１を面光源という。
【００３９】
なお、図では前記プリズムシート２０，２１をそれぞれ一枚膜のように示しているが、これらのプリズムシート２０，２１のうちの前記拡散層１９側のプリズムシート２０には、予め定めた第１の方向、例えば前記導光板１２の幅方向（入射端面１３及び出射面１４と平行な方向）に沿った複数の細長プリズムが密なピッチで形成され、他方のプリズムシート２１には、予め定めた第２の方向、例えば前記導光板１２の長手方向（入射端面１３に対して垂直で、出射面１４と平行な方向）に沿った複数の細長プリズムが密なピッチで形成されている。
【００４０】
前記複数の発光素子１６は、これらの発光素子１６の接続配線が形成された配線基板１７上に配置されており、この配線基板１７の一方の側縁部を、前記導光板１２の出射面１４の入射端面１３側の端部に、両面粘着テープ等により貼り付けることにより、前記導光板１２の入射端面１３に対向させて配置されている。
【００４１】
そして、前記複数の発光素子１６が配置された配線基板１７には、この配線基板１７を液晶表示パネル１のドライバ搭載部３ａに接続された配線フィルム９に設けられた電子部品ユニット１０の光源点灯回路に接続するためのリード配線フィルム１８が接続されている。
【００４２】
この面光源１１は、前記複数の発光素子１６から出射し、前記導光板１２にその入射端面１３から入射した光を、前記導光板１２の出射面１４の全域から出射し、その光を、前記拡散層１９により拡散し、さらに前記２枚のプリズムシート２０，２１により前記導光板１２の出射面１４の法線方向に対する角度が小さくなる方向に屈折させて、前記法線方向、つまり正面方向の出射光強度が高い強度分布の照明光を出射する。
【００４３】
また、前記導光板１２の反射面１５側には、前記導光板１２にその入射端面１３から入射した光のうちの前記反射面１５からの漏れ光を反射して前記導光板１２内に戻すための反射板２２が配置されている。
【００４４】
前記反射板２２は、前記導光板１２よりもある程度大きい面積を有する矩形形状に形成されており、その周縁部を前記導光板１２の周囲に張り出させて配置され、前記導光板１２の周縁部から前記反射板２２の周縁にわたる幅を有する両面粘着テープ２３によって前記導光板１２の周縁部に貼り付けられている。
【００４５】
前記フレーム２４は、前記面光源１１の周囲を囲む枠形状に形成されたフレーム本体２５と、前記フレーム本体２５の上面（二つの枠形状面のうちの液晶表示パネル１の配置側に対向する面）の複数箇所に、フレーム本体２５の上方に突出させて形成された複数のボス部２６とからなっている。
【００４６】
このフレーム２４は樹脂成形品からなっており、前記フレーム本体２５は、その外周部が、矩形状の平面形状を有する液晶表示パネル１の周囲に張り出す大きさの矩形枠形状に形成され、前記ボス部２６は、前記フレーム本体２５の上面のうち、液晶表示パネル１の周囲に張り出す部分に、前記液晶表示パネル１の２つの長辺の両方と、２つの短辺の少なくとも一方とにそれぞれ対応させて設けられている。
【００４７】
この実施例において、ボス部２６は、液晶表示パネル１の２つの長辺の複数箇所、例えば前記長辺のドライバ搭載部３ａを除く部分の両端部と、２つの短辺のうちのドライバ搭載部３ａとは反対側の短辺の複数個所、例えば前記短辺の両端側の部分とにそれぞれ対応させて設けられている。
【００４８】
そして、前記面光源１１は、フレーム本体２５により囲まれたスペースに、光の出射面（最も出射側のプリズムシート２１の外面）を前記フレーム本体２５の上面側に向けて収容されている。この面光源１１は、導光板１２の反射面１５に反射板２２を貼り付けている両面粘着テープ２３の導光板１２の周囲に張り出した周縁部を、フレーム本体２５の下面に貼付けることにより、前記フレーム本体２５に固定されている。
【００４９】
なお、前記フレーム本体２５の下面は、その内周側の部分を、前記反射板２２及び両面粘着テープ２３の厚さよりも僅かに大きく凹入させた形状に形成されており、反射板２２及び両面粘着テープ２３は、前記両面粘着テープ２３の周縁部をフレーム本体２５の下面の凹入面に貼り付けることにより、フレーム本体２５により囲まれたスペースに、フレーム本体２５の下面側に突出しないように収容されている。
【００５０】
また、前記表示パネル支持部材２７は、金属板からなっており、フレーム本体２５の平面形状の外形に対応した形状に形成された主面部２８と、前記主面部２８の縁部からフレーム本体２５の外側面に沿った方向に屈曲した側面部２９を有している。
【００５１】
この表示パネル支持部材２７の主面部２８には、前記面光源１１からの照射光を透過させる照明用開口３０と、前記各ボス部２６にそれぞれ対応する複数のボス貫通部３１とが設けられている。さらに、この表示パネル支持部材２７には、前記側面部２９のうちの前記面光源１１の発光素子配置側に対応する部分から前記主面部２８にかけて、前記発光素子１６が配置された配線基板１７に接続されたリード配線フィルム１８を外部に引出すための切欠部３２が形成されている。
【００５２】
この表示パネル支持部材２７は、前記フレーム本体２５の上面上に、前記各ボス部２６をそれぞれボス貫通部３１から主面部２８の上方に突出させ、前記主面部２８をフレーム本体２５の上面に当接させると共に、側面部２９をフレーム本体２５の外側に嵌合して配置され、主面部２８をフレーム本体２５の上面に両面粘着テープ３３により貼り付けて固定されている。
【００５３】
そして、液晶表示パネル１は、前記表示パネル支持部材２７の主面部２８上に、ドライバ搭載部３ａを面光源１１の発光素子配置側に向けて配置され、液晶表示パネル１の外周縁を各ボス部２６に近接または当接させることにより、画面エリア１ａが表示パネル支持部材２７の主面部２８に設けられた照明用開口３０に対向するように位置決めされて載置され、その周縁部を表示パネル支持部材２７の主面部２８に両面粘着テープ３４により貼り付けて固定されている。
【００５４】
また、この表示装置は、液晶表示パネル１の配置側とは反対側に、フレーム本体２５内の光源収容スペースと前記フレーム本体２５の下面及び外側面と前記表示パネル支持部材２７の外側面を覆って嵌装されたケース部材３５をさらに備えている。
【００５５】
このケース部材３５は、フレーム本体２５の平面形状の外形よりも大きい形状に形成された平板部３６と、前記平板部３６の縁部から前記フレーム本体の外側面に被さるように屈曲した側板部３７とを有し、前記側板部３７に、前記面光源１１の配線基板１７に接続されたリード配線フィルム１８の引出し部３８が、前記表示パネル支持部材２７の側面部２９に形成された切欠部３２と一致するように形成された金属板からなっている。
【００５６】
そして、前記ケース部材３５は、前記平板部３６をフレーム本体２５の下面に当接させ、前記側板部３７を表示パネル支持部材２７の側面部２９及びフレーム本体２５の外側に嵌合させて、ビス止め等の手段（図示せず）により前記フレーム本体２５に固定されている。
【００５７】
なお、前記ケース部材３５をフレーム本体２５に固定する手段は、ビス止めに限らず、例えば、フレーム本体２５の外側面に複数の掛止突起を突設し、ケース部材３５の側板部３７に複数の掛止孔を設けることにより、これらの掛止突起と掛止孔とを嵌合させて前記フレーム本体２５に固定してもよい。
【００５８】
上記表示装置は、前記フレーム２４のフレーム本体２５により囲まれたスペースに面光源１１を収容し、前記フレーム本体２５に、主面部２８に面光源１１からの照射光を透過させる照明用開口３０が設けられた表示パネル支持部材２７を、前記主面部２８をフレーム本体２５の上面に当接させて配置し、この表示パネル支持部材２７の主面部２８上に液晶表示パネル１を配置しているため、フレーム内のスペースに表示パネルと光源とを収容した従来の表示装置に比べて、液晶表示パネル１を充分な強度で支持することができる。
【００５９】
さらに、上記表示装置は、前記表示パネル支持部材２７に、前記主面部２８の縁部からフレーム本体２５の外側面に被さるように屈曲した側面部２９を形成し、この表示パネル支持部材２７を、前記側面部２９をフレーム本体２５の外側に嵌合して配置しているため、表示パネル支持部材２７の強度を高くし、液晶表示パネル１の支持強度をより高くすることができる。
【００６０】
しかも、上記表示装置は、フレーム本体２５の上面の複数箇所に複数のボス部２６を突設し、表示パネル支持部材２７の主面部２８に、前記各ボス部２６にそれぞれ対応する複数のボス貫通部３１を設け、前記表示パネル支持部材２７を、各ボス部２６をそれぞれボス貫通部３１から前記主面部２８の上方に突出させて配置しているため、前記表示パネル支持部材２７を、各ボス部２６とボス貫通部３１とにより位置決めして配置することができる。
【００６１】
そして、上記表示装置は、表示パネル支持部材２７の主面部２８上に、液晶表示パネル１を、その外周縁を各ボス部２６に近接または当接させることにより、前記液晶表示パネル１の画面エリア１ａが前記表示パネル支持部材２７の照明用開口３０に対向するように位置決めして配置しているため、装置の組立てに際して液晶表示パネル１を所定の位置に精度良く配置することができる。
【００６２】
また、上記表示装置は、前記ボス部２６を、矩形状の平面形状を有する液晶表示パネル１の２つの長辺の複数個所（上記実施例では、ドライバ搭載部３ａを除く部分の両端部）と、２つの短辺の少なくとも一方の複数箇所（上記実施例では、２つの短辺のうちのドライバ搭載部３ａとは反対側の短辺の両端側の部分）とにそれぞれ対応させて設けているため、液晶表示パネル１の位置決めを、精度良く、しかも容易に行うことができる。そして、位置決めされた液晶表示パネル１は、フレーム本体２５に固定された表示パネル支持部材２７の主面部２８上に貼り付けることにより、ずれ動かないように固定される。
【００６３】
さらに、上記表示装置は、液晶表示パネル１の配置側とは反対側に、面光源１１の収容スペースとフレーム本体２５の下面及び外側面と表示パネル支持部材２７の外側面を覆って嵌装されたケース部材３５を備えているため、装置全体の強度を高くすると共に、前記フレーム本体２５内の光源収容スペースへの埃等の入り込みを無くすことができる。
【００６４】
なお、上記実施例では、ボス部２６を、液晶表示パネル１の２つの長辺と、２つの短辺のうちのドライバ搭載部３ａとは反対側の短辺とにそれぞれ対応させて設けているが、前記ボス部２６は、液晶表示パネル１の２つの長辺と、２つの短辺とにそれぞれ対応させて設けてもよい。さらに、前記ボス部２６は、液晶表示パネル１の２つの長辺のうち少なくとも一方と２つの短辺のうち少なくとも一方とにそれぞれ対応させて設けてもよい。
【００６５】
また、上記実施例では、ボス部２６を、液晶表示パネル１の長辺のドライバ搭載部３ａを除く部分の両端部と、前記液晶表示パネル１のドライバ搭載部３ａとは反対側の短辺の両端側の部分とにそれぞれ対応させて設けているが、前記ボス部２６は、前記液晶表示パネル１の前記長辺及び短辺の他の部分に対応する部分に設けてもよい。
【００６６】
［第２実施例］
図７に示した第２実施例の表示装置は、前記フレーム本体２５の上面に、液晶表示パネル１の２つの長辺と、２つの短辺の少なくとも一方、例えばドライバ搭載部３ａとは反対側の短辺とにそれぞれ対応させて、前記長辺及び短辺に沿って前記長辺の半分程度以上の長さ及び前記短辺の半分程度以上の長さを有する凸条状に形成されたボス部２６ａを突設したものであり、この実施例によっても、液晶表示パネル１の位置決めを、精度良く、しかも容易に行うことができる。
【００６７】
［第３実施例］
図８に示した第３実施例の表示装置は、前記フレーム本体２５の上面に、液晶表示パネル１の４つの角部のうちの２つ以上の角部（この実施例では４つの角部の全て）にそれぞれ対応させて、液晶表示パネル１の角部の形状に対応した平面形状がＬ形の突起からなるボス部２６ｂを突設したものであり、この実施例によっても、液晶表示パネル１の位置決めを、精度良く、しかも容易に行うことができる。
【００６８】
［第４実施例］
図９に示した第４実施例の表示装置は、上記第１実施例の表示装置において、液晶表示パネル１の配置側に、前記液晶表示パネル１の周縁部と各ボス部２６と表示パネル支持部材２７の液晶表示パネル１の外方に張り出した部分及びケース部材３５の外側面を覆って嵌装されたカバー部材３９をさらに備えたものである。
【００６９】
この第４実施例において、前記カバー部材３９は、ケース部材３５の平面形状の外形よりも大きい形状に形成され、液晶表示パネル１の画面エリア１ａに対応する表示用開口４１が設けられた主面カバー部４０と、前記主面カバー部４０の縁部から前記ケース部材３５の外側面に被さるように屈曲した側面カバー部４２とを有する金属板からなっている。
【００７０】
なお、図示しないが、前記カバー部材３９の側面カバー部４２のうちの面光源１１の発光素子配置側及び液晶表示パネル１のドライバ搭載部３ａに対応する部分には、前記液晶表示パネル１のドライバ搭載部３ａに接続された配線フィルム９及び面光源１１の配線基板１７に接続されたリード配線フィルム１８を外部に引出すための切欠部が形成されている。
【００７１】
そして、前記カバー部材３９は、主面カバー部４０を、その表示用開口４１を液晶表示パネル１の画面エリア１ａに対向させて前記液晶表示パネル１の観察側の面（観察側偏光板の外面）の周縁部に当接させ、側面カバー部４２を前記ケース部材３５の外側に嵌合させて、ビス止め等の手段（図示せず）により前記フレーム本体２５に固定されている。
【００７２】
なお、この第４実施例において、前記ケース部材３５とカバー部材３９とをビス止めにより前記フレーム本体２５に固定する場合は、ケース部材３５の側面カバー部４２とカバー部材３９の側板部３７とを共通のビスにより固定するのが好ましい。
【００７３】
また、前記カバー部材３９は、ビス止めに限らず、例えば、フレーム本体２５の外側面に複数の掛止突起を突設し、側面カバー部４２に複数の掛止孔を設けることにより、これらの掛止突起と掛止孔とを嵌合させてフレーム本体２５に固定してもよく、その場合は、ケース部材３５の側板部３７とカバー部材３９の側面カバー部４２の両方に前記掛止突起と嵌合する掛止孔を設け、ケース部材３５とカバー部材３９の両方をフレーム本体２５に掛止するのが好ましい。
【００７４】
この第４実施例の表示装置は、前記カバー部材３９をさらに備えているため、装置全体の強度をより高くすると共に、液晶表示パネル１の配置部への埃等の入り込みも無くすことができる。
【００７５】
なお、前記第４実施例の表示装置は、フレーム本体２５の上面に上記第１実施例と同じボス部２６を突設したものであるが、前記フレーム本体２５の上面に突設するボス部は、上記第２実施例と同じボス部２６ａでも、上記第３実施例と同じボス部２６ｂでもよい。
【００７６】
［第５実施例］
次に、図１０〜図１５に示した第５実施例の表示装置について説明する。なお、この第５実施例において、第１実施例と同じものについては、図に同符号を付してその説明を省略する。
【００７７】
この第５実施例の表示装置は、第１実施例におけるフレーム２４と表示パネル支持部材２７に代えて、面光源１１を収容すると共に液晶表示パネル１を支持するフレーム１００を備えたものであり、液晶表示パネル１と面光源１１は、第一実施例と同じものである。
【００７８】
前記フレーム１００は、フレーム本体１０１と、前記フレーム本体１０１の液晶表示パネル１の配置側に対向する上面の複数箇所に、前記フレーム本体１０１の上方に突出させて形成された複数のボス部１０７とからなっている。
【００７９】
前記フレーム本体１０１は、前記面光源１１の配置スペースを囲む枠状の平面形状を有する樹脂枠１０２と、前記樹脂枠１０２の上面（二つの枠形状面のうちの液晶表示パネル１の配置側に対向する面）に一体的に設けられた金属板１０３とにより形成されている。
【００８０】
前記金属板１０３は、前記樹脂枠１０２の上面に一体的に設けられた枠状の主面部１０４と、前記主面部１０４の外周の縁部から前記樹脂枠の外側面に被さるように屈曲し、前記樹脂枠１０２の外側面に一体的に設けられた側面部１０５とを有している。この実施例において、前記金属板１０３の側面部１０５は、前記主面部１０４の全周に形成され、前記樹脂枠１０２の外側面の全周に一体的に設けられている。前記樹脂枠１０２の全周の外側面に一体的に設けられている。
【００８１】
そして、各ボス部１０７は、前記樹脂枠１０２の上面に、前記金属板１０３に設けられたボス貫通部１０６から金属板１０３上に突出させて形成されている。この実施例において、前記ボス貫通部１０６とボス部１０７は、前記フレーム本体１０１の外縁よりも内側に入り込んだ位置に設けられている。なお、前記樹脂枠１０２は、上述した第１実施例におけるフレーム本体１０１に対して、面光源１１の収容スペースが同じ大きさで、枠外形が前記フレーム本体１０１の外形よりも大きい形状に形成されており、ボス貫通部１０６とボス部１０７は、第１実施例における各ボス部２６の位置と同じ位置に配置されている。
【００８２】
また、前記金属板１０３は、前記樹脂枠１０２に対して、該樹脂枠１０２の上面の内周側の部分及び外側面の下側部分（例えば樹脂枠１０２の高さの半分程度の部分）を除いた領域に、前記主面部１０４の上面が樹脂枠１０２の上面と面一になり、側面部１０５の外面が樹脂枠１０２の外側面と面一になるように埋め込まれている。
【００８３】
なお、前記金属板１０３の側面部１０５は、主面部１０４の全周にわたって連続した形状に限らず、前記主面部１０４の各角部に対応する部分において切り離した形状に形成してもよく、その場合は、前記樹脂枠１０２の切り離された各側面部１０５の間に対応する部分を、その部分の外面と前記各側面部１０５の外面とが面一になるように成形するのが望ましい。
【００８４】
そして、前記フレーム本体１０１と、このフレーム本体１０１の上面の複数箇所に突設された複数のボス部１０７とからなるフレーム１００内には、前記フレーム本体１０１の樹脂枠１０２により囲まれたスペースに面光源１１が収容されている。
【００８５】
この面光源１１は、前記フレーム本体１０１の樹脂枠１０２により囲まれたスペースに、光の出射面（最も出射側のプリズムシート２１の外面）を前記フレーム本体１０１の上面側に向けて収容され、導光板１２の反射面１５に反射板２２を貼り付けている両面粘着テープ２３の導光板１２の周囲に張り出した周縁部を、前記樹脂枠１０２の下面に貼付けることにより固定されている。
【００８６】
なお、前記面光源１１の反射板２２及び両面粘着テープ２３は、前記両面粘着テープ２３の周縁部を、前記樹脂枠１０２の下面に形成された凹入面に貼り付けることにより、フレーム本体１０１の下面側に突出しないように収容されている。
【００８７】
一方、液晶表示パネル１は、前記フレーム本体１０１上に、前記各ボス部１０７により所定位置に位置決めされて固定されている。すなわち、液晶表示パネル１は、前記フレーム本体１０１上に、液晶表示パネル１の外周縁を前記各ボス部１０７に近接または当接させることにより所定位置に位置決めされて載置され、前記フレーム本体１０１に固定されている。この実施例において、液晶表示パネル１とフレーム本体１０１は、両面粘着テープ１０８からなる固定部材を介して貼り付け固定されている。この両面粘着テープ１０８は、前記金属板１０３の主面部の上面と樹脂枠１０２の上面との境界を跨いで、金属板１０３の主面部１０４の上面と樹脂枠１０２の上面の両方に粘着している。なお、両面粘着テープ１０８は、樹脂フィルムの両面に粘着剤を塗布したものでも、粘着材をテープ状に形成したものでもよい。
【００８８】
また、この表示装置は、液晶表示パネル１の配置側とは反対側に、フレーム本体１０１内の光源収容スペースと前記フレーム本体１０１の下面及び外側面を覆って嵌装されたケース部材１０９をさらに備えている。
【００８９】
このケース部材１０９は、フレーム本体１０１の平面形状の外形よりも大きい形状に形成された平板部１１０と、前記平板部１１０の縁部からフレーム本体１０１の外側面に被さるように屈曲した側板部１１１とを有し、前記側板部１１１に、前記面光源１１の配線基板１７に接続されたリード配線フィルム１８の引出し部１１２が形成された金属板からなっている。
【００９０】
そして、前記ケース部材１０９は、前記平板部１１０をフレーム本体１０１の下面に当接させ、前記側板部１１１をフレーム本体１０１の外側（金属板１０３の側面部１０５の外側面及び樹脂枠１０２の外側面の下側部分）に嵌合させて、ビス止め等の手段（図示せず）により前記フレーム本体１０１に固定されている。
【００９１】
なお、前記面光源１１の配線基板１７に接続されたリード配線フィルム１８は、前記フレーム本体１０１の上面側からフレーム本体１０１外に引き出され、さらに前記ケース部材１０９に形成された引出し部１１２を通して外部に引き出されている。
【００９２】
この第５実施例の表示装置は、前記フレーム本体１０１により囲まれたスペースに面光源１１を収容し、前記フレーム本体１０１の上に液晶表示パネル１を配置したものであるため、液晶表示パネル１をフレーム本体１０１により支持することができる。
【００９３】
そして、前記フレーム本体１０１は、樹脂枠１０２に前記金属板１０３が一体的に設けられたものであるため、上述した第１実施例におけるフレーム本体２５に表示パネル支持部材２７を貼り付けたものよりも高い強度を有しており、従って、液晶表示パネル１を充分な強度で支持することができる。
【００９４】
また、第１実施例の表示装置は、フレーム本体２５内に面光源１１を収容し、前記フレーム本体２５に表示パネル支持部材２７を貼り付けると共に、この表示パネル支持部材２７の主面部２８上に液晶表示パネル１を配置したものであるが、前記第５実施例の表示装置は、前記樹脂枠１０２と金属板１０３とを一体化したフレーム本体１０１内に面光源１１を収容し、前記フレーム本体１０１上に液晶表示パネル１を配置したものであるため、表示装置の組み立てを簡単な作業で行うことができる。
【００９５】
さらに、この表示装置は、前記金属板１０３が、樹脂枠１０２の上面に一体的に設けられた枠状の主面部１０４と、前記主面部１０４の外縁から樹脂枠１０２の外側面に沿った方向に屈曲し、前記樹脂枠１０２の外側面に一体的に設けられた側面部１０５とを有しているため、フレーム本体１０１の強度をより高くし、液晶表示パネル１の支持強度を高くすることができる。なお、上記第５実施例では、前記金属板１０３の側面部１０５を、前記主面部１０４の全周に形成しているため、フレーム本体１０１の強度をさらに高くすることができる。
【００９６】
しかも、前記金属板１０３が、樹脂枠１０２に対して、前記主面部１０４の上面が樹脂枠１０２の上面と面一になるように埋め込まれているため、がたつきを発生させることなく液晶表示パネル１をフレーム１００上に配置することができる。
【００９７】
また、前記金属板１０３が、樹脂枠１０２に対して、前記側面部１０５の外面が前記樹脂枠１０２の外側面と面一になるように埋め込まれているため、がたつきを発生させることなく、フレーム１００にケース部材１０９を嵌装することができる。
【００９８】
また、この表示装置は、前記フレーム本体１０１の上面の複数箇所に、フレーム本体１０１の上方に突出させた複数のボス部１０７を形成しているため、前記フレーム本体１０１上に、液晶表示パネル１を、その外周縁を前記各ボス部１０７に近接または当接させることにより、所定位置に精度良く位置決めして配置することができる。
【００９９】
なお、前記ボス部２６は、上述した第１実施例と同様に、矩形状の平面形状を有する液晶表示パネル１の２つの長辺の複数個所と、２つの短辺の少なくとも一方の複数箇所とにそれぞれ対応させて設けられている。そのため、液晶表示パネル１の位置決めを、精度良く、しかも容易に行うことができる。そして、位置決めされた液晶表示パネル１は、フレーム本体１０１の上面及び外側面の上部を形成している金属板１０３の主面部１０４上に貼り付けることにより、ずれ動かないように固定される。
【０１００】
また、上記第５実施例では、前記ボス部１０７を、前記樹脂枠１０２の上面に、前記金属板１０３に設けられたボス貫通部１０６から金属板１０３上に突出させて形成しているため、前記金属板１０３を一体に設けた樹脂枠１０２の成形を同時に前記ボス部１０７を形成することができる。
【０１０１】
そして、上記第５実施例では、前記ボス貫通部１０６とボス部１０７を、前記フレーム本体１０１の外縁よりも内側に入り込んだ位置に設けているため、フレーム本体１０１の強度を充分に確保することができる。
【０１０２】
すなわち、前記主面部１０４と側面部１０５とからなる金属板１０３は、主面部１０４と側面部１０５との間の屈曲部の強度が最も高い。そして、前記ボス貫通部１０６とボス部１０７は、前記フレーム本体１０１の外縁よりも内側に入り込んだ位置に設けられているため、前記金属板１０３の屈曲部にボス貫通部１０６を穿設した場合のように前記屈曲部の強度が部分的に低下することは無く、従って前記樹脂枠１０２と金属板１０３とからなるフレーム本体１０１の強度を充分に確保することができる。
【０１０３】
また、前記フレーム本体１０１の上面は、前記金属板１０３の主面部１０４の上面と樹脂枠１０２の上面とが面一な平坦面であるため、このフレーム本体１０１上に液晶表示パネル１を、前記両面粘着テープ１０８からなるフラットな固定部材を介して固定することができる。
【０１０４】
しかも、前記両面粘着テープ１０８は、前記金属板１０３の主面部の上面と樹脂枠１０２の上面との境界を跨いで、金属板１０３の主面部１０４の上面と樹脂枠１０２の上面の両方に粘着しているため、前記両面粘着テープ１０８の金属板１０３に対する粘着力と樹脂枠１０２に対する粘着力とに差があっても、液晶表示パネル１を充分な強度でフレーム本体１０１に貼り付けることができる。
【０１０５】
前記両面粘着テープ１０８の金属板１０３に対する粘着力が樹脂枠１０２に対する粘着力よりも強い場合は、図１４及び図１５のように、樹脂枠１０２の上面の露出部（金属板１０３よりも内周側の部分）の幅を、両面粘着テープ１０８の金属板１０３との粘着面積が樹脂枠１０２との粘着面積よりも大きくなるように設定するのが好ましく、このようにすることにより、液晶表示パネル１をより充分な強度でフレーム本体１０１に貼り付けることができる。
【０１０６】
また、前記両面粘着テープ１０８の樹脂枠１０２に対する粘着力が金属板１０３に対する粘着力よりも強い場合は、前記樹脂枠１０２の上面の露出部の幅を、両面粘着テープ１０８の樹脂枠１０２との粘着面積が金属板１０３との粘着面積よりも大きくなるように設定するのが好ましく、このようにすることにより、液晶表示パネル１をより充分な強度でフレーム本体１０１に貼り付けることができる。
【０１０７】
さらに、上記表示装置は、液晶表示パネル１の配置側とは反対側に、面光源１１の収容スペースとフレーム本体１０１の下面及び外側面を覆って嵌装されたケース部材１０９を備えているため、装置全体の強度を高くすると共に、前記フレーム本体１０１内の光源収容スペースへの埃等の入り込みを無くすことができる。
【０１０８】
なお、上記第５実施例では、ボス部１０７を、液晶表示パネル１の２つの長辺と、２つの短辺のうちのドライバ搭載部３ａとは反対側の短辺とにそれぞれ対応させて設けているが、前記ボス部１０７は、液晶表示パネル１の２つの長辺と、２つの短辺とにそれぞれ対応させて設けてもよい。さらに、前記ボス部１０７は、液晶表示パネル１の２つの長辺のうち少なくとも一方と２つの短辺のうち少なくとも一方とにそれぞれ対応させて設けてもよい。
【０１０９】
また、上記第５実施例では、ボス部１０７を、液晶表示パネル１の長辺のドライバ搭載部３ａを除く部分の両端部と、前記液晶表示パネル１のドライバ搭載部３ａとは反対側の短辺の両端側の部分とにそれぞれ対応させて設けているが、前記ボス部１０７は、図７に示した第２実施例のボス部２６ａと同様に、液晶表示パネル１の前記長辺及び短辺の他の部分に対応する部分に設けてもよい。
【０１１０】
すなわち、前記ボス部１０７は、例えば図７に示した第２実施例と同様に、液晶表示パネル１の２つの長辺と、２つの短辺の少なくとも一方、例えばドライバ搭載部３ａとは反対側の短辺とにそれぞれ対応させて設けてもよい。また、前記ボス部１０７は、図８に示した第３実施例のボス部２９ｂと同様に、液晶表示パネル１の４つの角部のうちの２つ以上の角部にそれぞれ対応させて、Ｌ形の平面形状に形成してもよい。
【０１１１】
［第６実施例］
図１６に示した第６実施例の表示装置は、上記第５実施例の表示装置において、液晶表示パネル１の配置側に、前記液晶表示パネル１の周縁部と各ボス部１０７及びケース部材１０９の外側面を覆って嵌装されたカバー部材１１３をさらに備えたものである。
【０１１２】
この第６実施例において、前記カバー部材１１３は、ケース部材１０９の平面形状の外形よりも大きい形状に形成され、液晶表示パネル１の画面エリア１ａに対応する表示用開口１１５が設けられた主面カバー部１１４と、前記主面カバー部１１４の縁部を折曲して形成された側面カバー部１１６とを有する金属板からなっている。
【０１１３】
なお、図示しないが、前記カバー部材１１３の側面カバー部１１６のうちの面光源１１の発光素子配置側及び液晶表示パネル１のドライバ搭載部３ａに対応する部分には、前記液晶表示パネル１のドライバ搭載部３ａに接続された配線フィルム９及び面光源１１の配線基板１７に接続されたリード配線フィルム１８を外部に引出すための切欠部が形成されている。
【０１１４】
そして、前記カバー部材１１３は、主面カバー部１１４を、その表示用開口１１５を液晶表示パネル１の画面エリア１ａに対向させて前記液晶表示パネル１の観察側の面（観察側偏光板の外面）の周縁部に当接させ、側面カバー部１１６を前記ケース部材１１９の外側に嵌合させて、ビス止め等の手段（図示せず）により前記フレーム本体１０１に固定されている。
【０１１５】
この第６実施例の表示装置は、前記カバー部材１１３をさらに備えているため、装置全体の強度をより高くすると共に、液晶表示パネル１の配置部への埃等の入り込みも無くすことができる。
【０１１６】
［第５及び第６実施例の変形例］
なお、上記第５及び第６実施例では、ボス部１０７を、樹脂枠１０２の上面に、金属板１０３に設けられたボス貫通部１０６から前記金属板１０３上に突出させて形成しているが、液晶表示パネル１を所定位置に位置決めするための各ボス部は、前記金属板１０３の主面部１０４に、プレスまたは絞り加工等により突設してもよく、その場合は、前記ボス部をフレーム本体１０１の外縁部に設けてもよい。
【０１１７】
このように金属板１０３の主面部１０４にボス部を突設する場合は、前記樹脂枠１０２を、前記金属板１０３の主面部１０４を部分的に上面側に突出させて形成された中空な断面形状のボス部内にも樹脂材が充填されるように成形するのが望ましく、このようにすることにより、高強度のボス部を形成することができる。
【０１１８】
また、第５及び第６実施例では、フレーム本体１０１上に液晶表示パネル１を、前記両面粘着テープ１０８からなる固定部材を介して固定しているが、前記固定部材は、フレーム本体１０１の上面に粘着するものに限らず、フレーム本体１０１の上面に接着するもの（接着剤の印刷層や、枠形状の樹脂または金属シート面に接着剤を塗布したもの）でもよい。
【符号の説明】
【０１１９】
１…表示パネル（液晶表示パネル）、１ａ…画面エリア、１１…光源、２４…フレーム、２５…フレーム本体、２６，２６ａ，２６ｂ…ボス部、２７…表示パネル支持部材、２８…主面部、２９…側面部、３０…照明用開口、３１…ボス貫通部、３３，３４…両面粘着テープ、３５…ケース部材、３６…平板部、３７…側板部、３９…カバー部材、４０…主面カバー部、４１…表示用開口、４２…側面カバー部、１００…フレーム、１０１…フレーム本体、１０２…樹脂枠、１０３…金属板、１０４…主面部、１０５…側面部、１０６…ボス貫通部、１０７…ボス部、１０８…両面粘着テープ、１０９…ケース部材、１１０…平板部、１１１…側板部、１１３…カバー部材、１１４…主面カバー部、１１５…表示用開口、１１６…側面カバー部
【図１】
0005509960.tif 000002
【図２】
0005509960.tif 000003
【図３】
0005509960.tif 000004
【図４】
0005509960.tif 000005
【図５】
0005509960.tif 000006
【図６】
0005509960.tif 000007
【図７】
0005509960.tif 000008
【図８】
0005509960.tif 000009
【図９】
0005509960.tif 000010
【図１０】
0005509960.tif 000011
【図１１】
0005509960.tif 000012
【図１２】
0005509960.tif 000013
【図１３】
0005509960.tif 000014
【図１４】
0005509960.tif 000015
【図１５】
0005509960.tif 000016
【図１６】
0005509960.tif 000017